(57)【要約】  【課題】ディスク装置側からテレビジョン受像機側に静止画像が継続して送られる場合に、ＣＲＴの画面に焼付きが生じるのを防止する。  【解決手段】ディスク装置一体型テレビジョン受像機１のディスク装置２側からテレビジョン受像機４側に静止画像のデータの送信が開始されるときに、タイマー３４をスタートさせる。静止画像の表示が継続した結果、タイマー３４がタイムアップすると、ディスク装置２側のＣＰＵ２４はテレビジョン受像機４側のＣＰＵ４４にその旨を通知する。通知を受けたテレビジョン受像機４側のＣＰＵ４４は、信号選択部４２にチューナ４１からの放送信号を選択させる信号を送る。これにより、ＣＲＴ５５には動画像である放送映像が表示される。【選択図】  図１
2005191928.tif 000002
【特許請求の範囲】
【請求項１】
映像が記録されたＤＶＤまたはＣＤのデータを再生するディスク装置と、ディスク装置により再生されたデータまたはチューナで選局された放送信号のいずれかを選択する信号選択部の出力信号に基づいて映像を表示するＣＲＴおよび音声を出力するスピーカを備えたテレビジョン受像機とからなるディスク装置一体型テレビジョン受像機において、
前記ディスク装置およびテレビジョン受像機は、夫々の動作を制御する制御部を夫々備え、
前記ディスク装置の制御部は、ディスク装置がテレビジョン受像機に静止画像データを継続して送る時間を監視し、且つ当該時間が所定の時間を超えた場合にはテレビジョン受像機に所定のメッセージを送り、
前記所定のメッセージを受けた前記テレビジョン受像機の制御部は、前記信号選択部に前記静止画像データに代えて前記放送信号を選択させてＣＲＴに表示させることを特徴とするディスク装置一体型テレビジョン受像機。
【請求項２】
映像が記録された記録媒体のデータを再生する再生装置と、再生装置により再生されたデータまたはチューナで選局された放送信号のいずれかを選択する信号選択部の出力信号に基づいて映像を表示する映像出力部および音声を出力する音声出力部を備えたテレビジョン受像機とからなる再生装置一体型テレビジョン受像機において、
前記再生装置およびテレビジョン受像機の動作を制御する制御部を備え、
前記制御部は、再生装置がテレビジョン受像機に静止画像データを継続して送る時間を監視し、且つ当該時間が所定の時間を超えた場合には前記信号選択部に前記静止画像データに代えて前記放送信号を選択させて映像出力部に表示させることを特徴とする再生装置一体型テレビジョン受像機。
【請求項３】
請求項２に記載の再生装置一体型テレビジョン受像機において、前記静止画像データが前記映像出力部に表示される直前に選局されていた前記放送信号の局番を記憶する記憶部を更に備え、前記静止画像データに代えて放送信号が選択される場合には、前記制御部は当該局番の放送信号を前記チューナに選局させることを特徴とする再生装置一体型テレビジョン受像機。
【請求項４】
請求項２に記載の再生装置一体型テレビジョン受像機において、前記チューナにより選局された局番の履歴を記憶する記憶部を更に備え、前記静止画像データに代えて放送信号が選択される場合には、前記制御部は前記履歴に基づいて選局される局番を求め、且つ当該局番の放送信号を前記チューナに選局させることを特徴とする再生装置一体型テレビジョン受像機。
【請求項５】
請求項２に記載の再生装置一体型テレビジョン受像機において、設定可能な局番を記憶する記憶部を更に備え、前記静止画像データに代えて放送信号が選択される場合には、前記制御部は前記設定された局番の放送信号を前記チューナに選局させることを特徴とする再生装置一体型テレビジョン受像機。
【請求項６】
請求項２ないし請求項５のいずれかに記載の再生装置一体型テレビジョン受像機において、前記静止画像データに代えて放送信号が選択される場合には、前記制御部は前記音声出力部からの音量を小さくすることを特徴とする再生装置一体型テレビジョン受像機。
【発明の詳細な説明】
【技術分野】
【０００１】
本発明は、ディスク装置一体型テレビジョン受像機および再生装置一体型テレビジョン受像機に関するものである。
【背景技術】
【０００２】
ＤＶＤプレーヤー等においては、ＤＶＤのディスクメニュー画面等の静止画像データが長時間に渡ってテレビジョン受像機のＣＲＴ（陰極線管）に表示されると、画面の焼付きが発生する。この問題を解決するために、従来から静止画像の表示が一定時間以上継続した場合には、スクリーンセイバーを起動して動画像をＣＲＴに表示させることが広く知られている（例えば、特許文献３）。
【０００３】
また、特許文献１には、ＣＤ再生中のオンスクリーン表示による画面の焼付きを防止するために、一定の時間間隔ごとに画面上でオンスクリーン表示の位置を移動させることが示されている。特許文献２には、テレビジョン受像機能を有する文書作成装置において、文書作成時はテレビジョン映像を画面の片隅に小さく表示しておき、キー入力が一定時間以上ないことが検出されるとテレビジョン映像を画面全体に拡大し、その映像をスクリーンセイバーとして利用することが示されている。
【０００４】
【特許文献１】特開平１１−４３９０号公報（段落００４１〜段落００４５、図３）
【特許文献２】特開平８−２８７２７０号公報（段落００４６〜段落００５１、図６、図７）
【特許文献３】特開平２００２−２４７５２８号公報（段落０００２〜段落０００４）
【発明の開示】
【発明が解決しようとする課題】
【０００５】
しかしながら、上記従来のものにおいては、スクリーンセイバー用の動画の画像データを格納するために、メモリーの記憶容量が増加するという問題がある。特許文献２に示される方法では、静止画像が画面全体の表示されている場合に、それを移動させると、表示内容の一部が欠落するという問題がある。また、静止画像の表示パターンによっては、効果が出ないこともあるという問題もある。特許文献３に示される方法では、予めテレビジョン映像を画面の片隅に小さく表示しておく必要があるため、ＤＶＤで再生される画像の表示領域が小さくなるという問題がある。
【０００６】
本発明は、上記問題点を解決するものであって、その課題とするところは、ディスク装置側からテレビジョン受像機側に静止画像データが継続して送られ、それがテレビジョン受像機のＣＲＴに表示される状況においても、メモリー容量を増加させることなく、ＣＲＴの画面に焼付きが生じないディスク装置一体型テレビジョン受像機および再生装置一体型テレビジョン受像機を提供することにある。
【課題を解決するための手段】
【０００７】
本発明は、映像が記録されたＤＶＤまたはＣＤのデータを再生するディスク装置とテレビジョン受像機とからなるディスク装置一体型テレビジョン受像機において、ディスク装置の制御部は、静止画像データがディスク装置側からテレビジョン受像機側に継続して送られる時間を監視し、且つ当該時間が所定の時間を超えた場合にはテレビジョン受像機に所定のメッセージを送り、このメッセージを受けたテレビジョン受像機の制御部は、信号選択部に静止画像データに代えて放送信号を選択させてＣＲＴに表示させる。このようにすることで、静止画像が所定の時間を超えて継続してＣＲＴに表示された場合には、動画像である放送映像が表示される。これにより、メモリー容量を増加させることなく、ＣＲＴの画面の焼付きが防止される。
【０００８】
また、本発明は、映像が記録された記録媒体のデータを再生する再生装置とテレビジョン受像機とからなる再生装置一体型テレビジョン受像機において、その制御部は、静止画像データが再生装置側からテレビジョン受像機側に継続して送られる時間を監視し、且つ当該時間が所定の時間を超えた場合には信号選択部に静止画像データに代えて放送信号を選択させて映像出力部に表示させる。このようにすることで、静止画像が所定の時間を超えて継続して映像出力部に表示された場合には、動画像である放送映像が表示される。これにより、メモリー容量を増加させることなく、映像出力部の画面の焼付きが防止される。
【０００９】
本発明においては、静止画像データが映像出力部に表示される直前に選局されていた放送信号の局番を記憶する記憶部を更に備え、静止画像データに代えて放送信号が選択される場合には、制御部は当該局番の放送信号をチューナに選局させる。これにより、必要性の高い局番が選局される。また、本発明においては、チューナにより選局された局番の履歴を記憶する記憶部を更に備え、静止画像データに代えて放送信号が選択される場合には、制御部は記憶された履歴に基づいて選局される局番を求め、且つ当該局番の放送信号をチューナに選局させる。これにより、必要性の高い、または視聴者の好みの局番が選局される。
【００１０】
さらに、本発明においては、設定可能な局番を記憶する記憶部を更に備え、静止画像データに代えて放送信号が選択される場合には、制御部は設定された局番の放送信号を前記チューナに選局させる。これにより、視聴者の好みの局番が選局される。さらに、本発明においては、静止画像データに代えて放送信号が選択される場合には、制御部は音声出力部からの音量を小さくする。これにより、焼付き防止の処理が行われていることに関し、視聴者の喚起を促すことができる。
【発明の効果】
【００１１】
本発明によれば、ディスク装置側からテレビジョン受像機側に静止画像データが継続して送られる場合であっても、メモリー容量を増加させることなく、テレビジョン受像機のＣＲＴの画面の焼付きが防止される。
【発明を実施するための最良の形態】
【００１２】
図１は、本発明に係るディスク装置一体型テレビジョン受像機１のブロック図である。本ディスク装置一体型テレビジョン受像機１は、ディスク装置２とテレビジョン受像機４とから構成される。まず、ディスク装置２の構成について説明する。このディスク装置２は、ＤＶＤ、ＣＤ等の各種の記録媒体であるディスク３０を再生し、書き込み可能なディスク３０に記録を行うこともできる。
【００１３】
アンテナ１１で受信された放送信号は、チューナ２１で選局され、信号選択部２２に送られる。信号選択部２２では、ＣＰＵ２４からの信号により、放送信号または外部入力端子１２からの信号のいずれか一方が選択され、記録信号処理部３２に送られる。外部入力端子１２からの信号は、他のオーディオビジュアル機器、例えばビデオテープレコーダーの出力信号である。記録信号処理部３２では、入力信号がＡ／Ｄ変換され、例えばＭＰＥＧ−２方式により符号化される。符号化された信号は、記録再生部３１においてディスク３０に記録される。
【００１４】
記録再生部３１は、ディスク３０を戴置して搬入出するためのトレイ、ディスク３０にデータを記録するための記録ヘッド、ディスク３０のデータを再生するための再生ヘッドおよび記録再生の際にディスク３０を回転させるための回転駆動機構等から構成される。また、記録再生部３１にはセンサが設けられており、ＣＰＵ２４からディスク３０の有無、トレイの状態等を調べることができるようになっている。記録再生部３１で再生されたディスク３０のデータは、再生信号処理部３３で復号化され、その後Ｄ／Ａ変換されてＯＳＤ処理部２３に送られる。
【００１５】
本ディスク装置２は、ディスク３０の有無、トレイの状態、ディスク３０の再生時間等の視聴者に対する各種メッセージをディスク３０の再生データに重畳させて表示するオンスクリーン表示（以下、ＯＳＤという）機能を備えている。メモリー２５中のＯＳＤのデータがＣＰＵ２４により取り出されてＯＳＤ処理部２３に送られ、そこで再生データに重畳されてテレビジョン受像機４の信号選択部４２に送られる。
【００１６】
ＣＰＵ２４には、メモリー２５およびタイマー３４が接続されている。メモリー２５には、ディスク装置２の動作を制御するためのプログラム、上述のＯＳＤデータ、放送信号をディスク３０に記録するときに使用するデータ（局番、記録開始時刻、記録時間等）、各種の制御データ等が格納されている。また、メモリー２５はＣＰＵ２４の演算作業領域としても使用される。タイマー３４にはＣＰＵ２４から時間データが設定される。そして、設定された時間が経過すると、タイマー３４は当該時間が経過（タイムアップ）したことをＣＰＵ２４に通知する。
【００１７】
次に、テレビジョン受像機４の構成について説明する。アンテナ１１で受信された放送信号は、チューナ４１で選局され、信号選択部４２に送られる。信号選択部４２では、ＣＰＵ４４からの信号により、放送信号、外部入力端子１２からの信号またはディスク装置２のＯＳＤ処理部２３からの信号のいずれかが選択される。信号選択部４２の出力信号はＯＳＤ処理部４３に送られ、ここでＣＰＵ４４から送られてくるＯＳＤデータが重畳される。このＯＳＤ処理部４３では、テレビジョン受像機４用のＯＳＤデータが重畳される。上記重畳された信号は、映像信号処理部５１に送られ、そこで音声信号と、映像信号、水平走査信号および垂直走査信号とに分離される。音声信号は音声アンプ５２で増幅されて音声出力部であるスピーカ５３から出力される。映像関連の信号は、ＣＲＴ駆動部５４を介して映像出力部であるＣＲＴ５５に送られる。
【００１８】
操作部５６は、ディスク装置一体型テレビジョン受像機１の不図示の前面パネルに設けられた複数の操作キーおよび多数の操作キーを備えた不図示のリモートコントローラからなる。操作キーには、ディスク装置２の操作専用のキー、テレビジョン受像機４の操作専用のキーおよび両者で共用されるキーがあり、いずれかの操作キーが押されると信号がＣＰＵ４４に送られ、操作キーの種類に応じた処理が行われる。また、ＣＰＵ４４にはメモリー４５が接続されている。メモリー４５には、テレビジョン受像機４の動作を制御するためのプログラム、上述のＯＳＤデータおよび各種の制御データ等が格納されている。また、メモリー４５はＣＰＵ４４の演算作業領域としても使用される。
【００１９】
次に、フローチャートに沿って本発明にかかるＣＲＴ５５の焼付きを防止する動作について説明する。図２は、ディスク装置２側の動作を示すフローチャートである。図３は、テレビジョン受像機４側の動作を示すフローチャートである。以下では、ディスク３０はＤＶＤであるとして説明される。尚、フローチャートでは、ディスク装置一体型テレビジョン受像機１の全体の動作ではなく、本発明に関連する部分の動作が示される。まず、図２について説明する。
【００２０】
まず、電源が投入されると、所定の初期化処理がされた後に、トレイにディスク３０が新たにセットされて再生可能な状態になったか否かが調べられる（Ｓ１）。新たに再生可能な状態になった場合は、ＤＶＤのディスクメニューが再生される（Ｓ２）。ディスクメニューのデータは、再生信号処理部３３およびＯＳＤ処理部２３を介してテレビジョン受像機４側に送られる。ディスクメニューは静止画像であるので、この時点で静止画像がＣＲＴ５５に表示されたことになる。次に、ＣＰＵ２４は、テレビジョン受像機４側のＣＰＵ４４にモードをディスクモードにするコマンドを送信する（Ｓ３）。ディスクモードとは、ディスク装置２側からのデータ（ディスク３０の再生データまたはＯＳＤデータ）がＣＲＴ５５に表示されるモードである。
【００２１】
次に、タイマー３４に所定の時間（例えば、５分）を設定することにより、タイマー３４をスタートさせて（Ｓ４）、Ｓ１に戻る。このタイマー３４に設定された時間により、静止画像がＣＲＴ５５に表示され始めてからの時間が監視される。尚、既にタイマー３４が起動されている場合には、設定時間が再設定されてしまうので、タイマー３４のスタート処理は行われない。このタイマー３４のスタート処理は、後述の他のステップでも同様である。
【００２２】
Ｓ１でディスク３０が新たにセットされていて、Ｓ２〜Ｓ４が実行された後にＳ１へ戻ったときは、同じディスク３０がセットされているのでＳ１の判定はＮＯとなり、トレイに入っていたディスク３０が取り出されたか否かが調べられる（Ｓ５）。ディスク３０が取り出された場合は、ＣＰＵ２４によりメモリー２５から読み出されたＯＳＤデータ（例えば、「ディスクがトレイから出されました」）がＯＳＤ処理部２３に送られ、ＣＲＴ５５に表示される（Ｓ６）。このＯＳＤも静止画像であり、ここで静止画像の表示が開始されたことになるので、静止画像の表示時間を監視するためにタイマー３４をスタートさせる（Ｓ７）。
【００２３】
Ｓ５でディスク３０がトレイから取り出されたと判断されなかった場合は、テレビジョン受像機４側からモードをテレビモードにするコマンドを受信したか否かが調べられる（Ｓ８）。このコマンドは、テレビジョン受像機４側でモードがテレビモードに設定されたときに、テレビジョン受像機４側のＣＰＵ４４からディスク装置２側のＣＰＵ２４に送信される。テレビモードとは、放送信号がＣＲＴ５５に表示されるモードである。例えば、ディスク３０の再生データを見ていた視聴者が、放送番組を見るために操作部５６の「選局キー」を押したような場合に、モードはディスクモードからテレビモードに変る。当該コマンドを受信した場合には、ＣＰＵ２４はディスク装置２の動作を停止させて（Ｓ９）、タイマー３４をリセットして（Ｓ１０）、Ｓ１に戻る。これは、動画像である放送番組がＣＲＴ５５に表示されるようになり、静止画像の表示時間を監視する必要がなくなったからである。
【００２４】
Ｓ８でテレビモードにするコマンドを受信したと判断されなかった場合は、テレビジョン受像機４側からディスク装置２の操作に使用するキーの情報を受信したか否かが調べられる（Ｓ１１）。このキーの情報は、２つのＣＰＵ２４、４４間で送受される。キーの情報を受信した場合には、その情報に含まれるキーが有効であるか否かが調べられる（Ｓ１２）。ディスク装置２側の状態によっては、受け付けられるキーと受け付けられないキーとがあり、このステップによって受け付けられないキーが排除される。
【００２５】
キーが有効であると判断された場合は、ＣＰＵ２４はモードをディスクモードにするコマンドをテレビジョン受像機４側に送る（Ｓ１３）。次に、受信したキーの種類に従って、該当する処理が行われる（Ｓ１４）。例えば、ディスク３０がセットされた状態で「再生キー」を受信した場合には、ディスク３０の再生が開始される。また、設定操作をするために「メニューキー」が押された場合には、メニュー画面用のＯＳＤデータがディスク装置２側からテレビジョン受像機４側に送られ、ＣＲＴ５５に表示される。
【００２６】
次に、Ｓ１４で行われた処理によって動画像の表示が開始されたか否かが調べられる（Ｓ１５）。動画像の表示が開始された場合は、静止画像の表示時間を監視する必要がないので、タイマー３４をリセットして（Ｓ１６）、Ｓ１に戻る。動画像が表示されるのは、「再生キー」を受信して、ディスク３０の再生が開始されたようなときであり、この動画像データはテレビジョン受像機４側に送られ、ＣＲＴ５５に表示される。
【００２７】
Ｓ１５で動画像の表示が開始されたと判断されなかった場合は、静止画像の表示が開始されたか否かが調べられる（Ｓ１７）。静止画像の表示が開始された場合は、タイマー３４をスタートさせて（Ｓ１８）、Ｓ１に戻る。このタイマー３４により静止画像の表示時間が監視される。静止画像の表示が開始されたと判断されなかった場合は、Ｓ１４で表示と関係のない処理がされた場合であり、何もせずにＳ１に戻る。
【００２８】
Ｓ１１でキーの情報を受信したと判断されなかった場合、およびＳ１２でキーが有効であると判断されなかった場合は、タイマー３４がタイムアップしたか否かが調べられる（Ｓ１９）。タイマー３４がタイムアップしたということは、静止画像の表示がタイマー３４に設定された時間を超えて継続して表示されたということである。タイプアップした場合は、ＣＰＵ２４は焼付き防止コマンド（静止画像データが継続して表示されている時間が所定の時間を超えた旨のメッセージ）をテレビジョン受像機４側のＣＰＵ４４に送信して（Ｓ２０）、Ｓ１に戻る。このコマンドを受信したテレビジョン受像機４側では、ＣＲＴ５５の焼付き防止のための処理が行われる。この処理については後述する。タイムアップしたと判断されなかった場合は、何もせずにＳ１に戻る。
【００２９】
次に、図３を参照しつつテレビジョン受像機４側の動作を説明する。まず、電源が投入されると、所定の初期化処理がされた後に、モードがテレビモードに設定されると共に、焼付き防止フラグがリセットされる（Ｓ３１）。このモードのデータおよび焼付き防止フラグはメモリー４５に記憶されている。次に、ディスク装置２側のＣＰＵ２４からモードをディスクモードにするコマンドを受信したか否かが調べられる（Ｓ３２）。受信した場合は、モードがディスクモードに設定される（Ｓ３３）。ここで、ＣＰＵ４４から信号選択部４２にディスク装置２側からの信号を選択させる信号が送られ、ディスク３０の再生データまたはディスク装置２側のＯＳＤデータがＣＲＴ５５に表示される。その後、Ｓ３２に戻る。
【００３０】
Ｓ３２でディスクモードにするコマンドを受信したと判断されなかった場合は、ディスク装置２側のＣＰＵ２４から焼付き防止コマンドを受信したか否かが調べられる（Ｓ３４）。受信した場合には、焼付き防止フラグがセットされ（Ｓ３５）、ＣＲＴ５５の焼付きを防止するために、図４に示される焼付き防止処理が行われ（Ｓ３６）、Ｓ３２に戻る。焼付き防止処理については後述する。
【００３１】
焼付き防止コマンドを受信したと判断されなかった場合は、操作部５６でキーが押されたか否かが調べられ（Ｓ３７）、押されていない場合はＳ３２に戻る。押された場合は、焼付き防止フラグがセットされているか否かが調べられる（Ｓ３８）。セットされている場合は、焼付き防止フラグがリセットされ（Ｓ３９）、ＣＰＵ４４から信号選択部４２にディスク装置２側からのデータを選択させる信号が送られ、当該データがＣＲＴ５５に表示される（Ｓ４０）。その後、Ｓ３２に戻る。このようにすることで、焼付き防止のために放送番組がＣＲＴ５５に表示された後に、最初に何らかのキーが押されると、放送番組が表示される前の表示に戻ることになる。
【００３２】
Ｓ３８で焼付き防止フラグがセットされていると判断されなかった場合は、テレビジョン受像機４用のキーが押されたか否かが調べられる（Ｓ４１）。この判断は、操作部５６の押されたキーのコードおよび現在のモードに基づいて行われる。テレビジョン受像機４用のキーが押された場合には、モードがテレビモードに設定される（Ｓ４２）。ここで、ＣＰＵ４４から信号選択部４２に放送信号を選択させる信号が送られ、放送番組がＣＲＴ５５に表示される。次に、ディスク装置２側にテレビモードに設定されたことを通知するために、テレビモードコマンドが送信される（Ｓ４３）。次に、キーの種類に応じた処理、例えば放送番組の局番の変更が行われ（Ｓ４４）、Ｓ３２に戻る。
【００３３】
Ｓ４１でテレビジョン受像機４用のキーが押されたと判断されなかった場合は、ディスク装置２用のキーが押されたか否かが調べられる（Ｓ４５）。ディスク装置２用のキーが押された場合は、そのキーの情報がディスク装置２側のＣＰＵ２４に送信されて（Ｓ４６）、Ｓ３２に戻る。ディスク装置２用のキーが押されたと判断されなかった場合は、ディスク装置２側およびテレビジョン受像機４側で共通に使用されるキー（例えば、音量を増減させるためのキー）が押されたことになるので、そのキーの種類に応じた処理が行われ（Ｓ４７）、Ｓ３２に戻る。
【００３４】
次に、図４を参照しつつ焼付き防止処理について説明する。焼付き防止処理は、ディスク装置２側からの静止画像データが所定の時間だけ継続してＣＲＴ５５に表示された場合に行われる。当該処理においては、ＣＲＴ５５には動画像である放送映像が表示される。まず、動画像である放送映像をＣＲＴ５５に表示させるために、ＣＰＵ４４からの信号により、信号選択部４２はチューナ４１の出力を選択するように設定される（Ｓ５１）。但し、モードはテレビモードに変更されるわけではない。次に、メモリー４５中に予め設定されている選局条件を調べ、ディスクモードに入る前に選局されていた局番（直前の局番）によるか否かが調べられる（Ｓ５２）。そのように選局条件が設定されている場合は、メモリー４５に保存されている「直前の局番」がチューナ４１に送られ、その局番で選局される（Ｓ５３）。
【００３５】
Ｓ５２で選局条件が「直前の局番」によると判断されなかった場合は、選局条件が局番の履歴によると設定されているか否かが調べられる（Ｓ５４）。局番の履歴によると設定されている場合は、メモリー４５中に記憶されている、例えば５０件の選局された局番の履歴を調べ、最も選局された回数の多い局番を探し、その局番がチューナ４１に送られる（Ｓ５５）。この場合、局番データに加えて視聴時間もメモリー４５に記憶させ、最も視聴時間の長い局番を採用するようにしてもよい。いずれにしろ、選局はメモリー４５に記憶されている局番の履歴に基づいて行われる。
【００３６】
Ｓ５４で選局条件が局番の履歴によると設定されていると判断されなかった場合は、予めメモリー４５に設定されている局番（デフォルト局番）により選局される（Ｓ５６）。デフォルト局番の設定は、視聴者が操作部５６のキーを操作することによって行われる。視聴者の一番好きな局番等がデフォルト局番として設定される。Ｓ５３、Ｓ５５、Ｓ５６の処理の終了後、現在の音量がメモリー４５にセーブされる（Ｓ５７）。尚、セーブされた音量データは、その後にディスク３０の再生が行われた場合および放送番組の選局が行われた場合等に、メモリー４５から取り出され、その音量データにより音声アンプ５２が制御される。次に、ＣＰＵ４４から音声アンプ５２に送られる信号により、スピーカ５３の音量が小さくされる（音量ゼロを含む）（Ｓ５８）。
【００３７】
上記の焼付き防止処理においては、ＣＲＴ５５には動画像である放送映像が表示されるので、ＣＲＴ５５の画面の焼付きが防止される。また、放送映像の選局に関しても、「直前の局番」、選局の履歴に基づいて決められる局番、および設定された局番（デフォルト局番）のいずれかによって選局されるので、必要性の高い、または視聴者の好みの放送映像がＣＲＴ５５に表示される確率が高く、従来の方式に比べて実用性に優れる。また、音量が小さくされることにより、当該処理が行われていることに関し、視聴者の喚起を促すことができる。
【００３８】
以上述べた実施形態においては、ディスク装置２側、テレビジョン受像機４側に夫々ＣＰＵ２４、４４およびメモリー２５，４５を持たせ、夫々で機能を分担する場合について説明したが、ＣＰＵおよびメモリーを夫々１つとしても本発明を実施することができる。また、上記実施形態では、記録媒体であるＤＶＤ、ＣＤ等のディスク３０に対して記録再生可能なディスク装置一体型テレビジョン受像機１について説明したが、記録媒体をディスク以外のビデオテープ等とする再生装置一体型テレビジョン受像機にも適用できる。
【００３９】
さらに、上記実施形態では、映像出力部がＣＲＴ５５である場合について説明したが、ＣＲＴのように静止画像が長時間に渡って表示されることにより焼付きが生じる映像出力部であれば、その映像出力部を備えた再生装置一体型テレビジョン受像機にも本発明を適用できる。
【００４０】
さらに、上記実施形態では、選局条件に従って、「直前の局番」、選局の履歴に基づいて決められる局番、および設定された局番（デフォルト局番）のいずれかにより選局される場合について示したが、選局条件に従うことなく、上記３つの局番のいずれかを無条件に採用するようにしてもよい。また、チューナ４１を選局されていない状態に設定することにより、スノーノイズ画面をＣＲＴ５５に表示させても、ＣＲＴ５５の焼付きを防止することができる。また、無信号状態の外部入力端子からの信号を選択することにより、真っ黒な画面をＣＲＴ５５に表示させても、焼付きを防止することができる。
【００４１】
さらに、上記実施形態では、タイマー３４を用いて静止画像の表示時間を監視する場合について説明したが、静止画像が表示された時刻と現在時刻とを比較することにより、静止画像の表示時間を監視するようにしてもよい。尚、タイマー３４は、ＣＰＵ２４と協働して本発明の動作を制御することから、本発明の制御部に含まれる。  
【図面の簡単な説明】
【００４２】
【図１】ディスク装置一体型テレビジョン受像機のブロック図である。
【図２】ディスク装置側の動作を示すフローチャートである。
【図３】テレビジョン受像機側の動作を示すフローチャートである。
【図４】焼付き防止処理を示すフローチャートである。
【符号の説明】
【００４３】
１    ディスク装置一体型テレビジョン受像機
２    ディスク装置
４    テレビジョン受像機
２１，４１  チューナ
２２，４２  信号選択部
２４，４４  ＣＰＵ（制御部）
２５，４５  メモリー（記憶部）
３０  ディスク
３４  タイマー３４（制御部）
５３  スピーカ（音声出力部）
５５  ＣＲＴ（映像出力部）
５６  操作部
【図１】
2005191928.tif 000003
【図２】
2005191928.tif 000004
【図３】
2005191928.tif 000005
【図４】
2005191928.tif 000006